(57)【要約】  本発明により、図４及び図５に示すように、溝（２）を有するサッシ輪郭部材（１）と、溝（４）を有する基礎枠輪郭部材（３）とを備えるヒンジ式開閉枠装置（ガラス窓や雨戸）を構成することができ、サッシ輪郭部材（１）の溝（２）内に初期配置されるロック輪郭部材（５）は、最終的に押出されて、基礎枠輪郭部材（３）の溝（４）に進入し、枠全体を全く破ることができないように、サッシ（１）の可動枠組が基礎枠（３）の固定枠組に固定され、文字通り統合される。運動伝達用のメインの付属品（９）は、枠のクレモンに合わせて調節され、クレモンを回転させると、図７に示すように、駆動ベルト（１２）に運動を伝達し、これが付属品（７）を移動させ、この付属品（７）がロック輪郭部材（５）を押出して、基礎枠輪郭部材（３）を組立ててなる枠組の溝（４）内に周縁から侵入させる。
2015520311.tif 000002
【特許請求の範囲】
【請求項１】
アルミニウム製のヒンジ式サッシ輪郭部材（１）に溝（２）が設けられ、該溝（２）内にはメインの付属品（９）が配置され、該付属品（９）は、枠組のクレモンを回転させることによって生じる直線運動を駆動ベルト（１２）に伝達し、該駆動ベルト（１２）はこの直線運動を、ロック輪郭部材（５）を押出し若しくは引込む付属品（７）に伝達し、該ロック輪郭部材（５）は、ヒンジ式サッシ（１）枠組の四辺の周縁に配置され、駆動ベルト（１２）にネジ固定されることを特徴とする、ドア及び窓用のヒンジ式開閉枠の破壊防止装置。移動することによってロック輪郭部材（５）を押出し若しくは引込む前記付属品（７）は、ヒンジ式可動枠組の四辺全てにおいて、アルミニウム製サッシ輪郭部材（１）の溝（２）内で「スライド」し、主にその傾斜によって、同様の傾斜を有するロック輪郭部材（５）を押出し、その結果、ロック輪郭部材（５）は、基礎枠（３）の固定枠組の周縁全長にわたって進入し、これを破壊不能にする。枠組を最初に組立てる際に、ロック輪郭部材（５）の横方向移動制限用付属品（２０）を四隅に配置することにより、ロック輪郭部材（５）は、サッシ輪郭部材（１）を組立ててなる枠組から押出され移動する。
【発明の詳細な説明】
【技術分野】
【０００１】
本発明は、ドア用及び窓用のヒンジ式開閉枠（ガラス窓や雨戸）のための破壊防止装置であって、その二つの主な輪郭部材（基礎枠及びサッシ）が、最低限の付属品を取り付けることによって、既に壁に固定されている基礎枠の枠組にサッシの可動枠組を取込んで完全に一体化させることができるように設計されている装置に関する。
【背景技術】
【０００２】
これまで、ヒンジ式開閉ドア及び窓用のアルミニウム製装置の製造技術には、本発明と同様な発明はない。現存の装置では、サッシ輪郭部材からなる可動枠組を、基礎枠輪郭部材からなる固定枠組内にロックするには、複雑で高価な付属品を多く使用する非常に時間のかかるいくつかの工程を要するものの、結局この二つの枠同士を破壊不能にロックすることはできない。たとえ周縁に多点ロック装置を設けても、枠のロック機構に対して比較的単純な機械的応力を用いてさえも、侵入できる可能性がある。
【発明の概要】
【発明が解決しようとする課題】
【０００３】
本発明は、上記の不都合を解消することを目的として、ドア用及び窓用のヒンジ式開閉装置のサッシ及び基礎枠の輪郭部材を設計構築する新規且つ革新的な方法に従って、サッシの周縁に沿った突出延長部を提供し、この突出延長部は、クレモンをロック位置へと回転することにより、枠組の周縁全長にわたって基礎枠輪郭部材内に突出して、全く破壊不能にする。
【課題を解決するための手段】
【０００４】
この装置の構成方法の一例を、本発明の基本原理の実施方法を明確に示す添付図面を参照して、以下に説明する。図３及び図６は、必要な詳細を開示することができるように、本発明の装置付属品を通常の向き及び反転した向きで示す。
【図面の簡単な説明】
【０００５】
【図１】図１は、その主な特徴として溝（２）を有する設計の、アルミニウム製のヒンジ式開閉サッシ輪郭部材（１）の断面を示す。
【図２】図２は、その主な特徴として、図３に示す付属品（５）を受入れる溝（４）を有するアルミニウム製の基礎枠輪郭部材（３）の断面を示す。
【図３】図３は、対向する（向かい合った）二つの側面に、適切に傾斜した傾斜切欠部を標準距離で呈するように形成された、「パイ（Π）」状のロック輪郭部材（５）の一部を示す。
【図４】図４は、アルミニウム製のヒンジ式開閉サッシ輪郭部材（１）の溝（２）内に、基礎枠輪郭部材（３）に対して最終位置に配置されたロック輪郭部材（５）の断面を示す。図４では、ロック装置は作動していない。
【図５】図５は、図４と同様の断面を示すが、ロック装置が作動しており、ロック輪郭部材（５）が押し出されて基礎枠輪郭部材（３）の溝（４）内に進入し、その結果、サッシ輪郭部材（１）が基礎枠輪郭部材（３）と統合されて、最終的にドアや窓のヒンジ式開閉枠全体の周縁ロックが完成している点が異なる。
【図６】図６は、ロック輪郭部材（５）を押出し若しくは引込む付属品（７）を示し、この付属品（７）は側面突出部（８）を有し、この突出部（８）によってサッシ輪郭部材（１）の溝（２）内に進入する。運動伝達用のメインの付属品（９）も側面突出部（８）を有しており、この突出部（８）によって、図４、図５、及び図６に示すように、サッシ輪郭部材（１）の溝（２）内に「スライド」する。
【図７】図７は、クレモンから駆動ベルト（１２）への運動伝達のためのメインの付属品（９）を詳細に示す。つまり図７は、ネジ（市販品）を挿入する二つの貫通孔（１０）及び（１１）を示す。孔（１０）に挿入されたネジは、断面矩形の穴（１４）を通してメインの付属品（９）に挿入された駆動ベルト（１２）の一端を固定し、駆動ベルトの他端は、枠の周縁に沿って駆動された後、同様の断面を有する後方の対応する穴（１５）に挿入され、最終的に穴（１５）の上端から外へ出される。  この段階で且つ孔（１１）に挿入したネジ（市販品）でメインの付属品（９）を駆動ベルト（２）に固定する前に、駆動ベルト（２）を伸ばし、次いで飛び出している部分を除去する。また図７には、メインの付属品（９）の孔（１６）に挿入して、クレモン（市販品）の運動をメインの付属品（９）へと伝達するピン（１７）を示す。
【図８】図８は、図６に示すロック輪郭部材（５）を押出し若しくは引込む付属品（７）を詳細に示す。この付属品（７）は、ネジ（市販品）を挿入して付属品（７）を駆動ベルト（１２）に固定するための孔（１８）を有する。図８はまた、駆動ベルト（１２）を挿入する断面矩形の貫通孔（１９）と、側面突出部（８）とを示し、この突出部（８）によって、付属品（７）はサッシ輪郭部材（１）の溝（２）内に「スライド」する。
【図９】図９は、ロック輪郭部材（５）の横方向の移動を制限するために、サッシ輪郭部材（１）を組立ててなる枠組の四隅に配置される付属品（２０）を示す。付属品（２０）にも側面突出部（８）が設けられており、これによってサッシ輪郭部材（１）の溝（２）内に配置される。付属品（２０）はさらに断面矩形の貫通孔（２１）を有し、駆動ベルト（１２）はこの貫通孔（２１）を自由に通過して外へ出て、方向を変える。
【発明を実施するための形態】
【０００６】
サッシ輪郭部材（１）を用いて可動開閉枠を組立て、基礎枠輪郭部材（３）を用いて組立てた固定枠組に、慣用技術に従ってヒンジ（市販品）によって取付けることができる。
【０００７】
本発明によるロック方法を実行するための基本原理は、以下の三つの基本的段階に従って行うことができる。
第一段階：メインの付属品（９）をスライドさせてサッシ輪郭部材（１）の溝（２）内に配置する。この付属品（９）は、ピン（１７）を用いてクレモンに合わせて調節する。使用者がクレモンを回転させると、この回転運動がメインの付属品（９）を移動させる直線運動に変換され、さらに付属品（９）が固定されている駆動ベルト（１２）に伝達される。
第二段階：駆動ベルト（１２）が移動すると、その直線運動は、ロック輪郭部材（５）を押し出し若しくは引き込める付属品（７）に伝達される。この際、このロック輪郭部材（５）は、サッシ枠（１）の四辺に沿って周縁に配置されており、駆動ベルト（１２）に固定されている。
第三段階：サッシ輪郭部材（１）の溝（２）内でスライドする付属品（７）は、傾斜しているため、一方向に移動させられると、サッシ輪郭部材（１）を組立ててなる可動枠の四辺全てに沿ってロック輪郭部材（５）を押出す。これは、ロック輪郭部材（５）の両側にも、同様に傾斜した傾斜切欠部が設けられているためである。その結果、ロック輪郭部材（５）が周縁に沿って突出して、基礎枠輪郭部材（３）の溝（４）内に進入する。サッシ輪郭部材（１）からなる枠組からロック輪郭部材（５）が押出されるのは、サッシ枠組を組立てる際に、ロック輪郭部材（５）の横方向移動制限用の付属品（２０）を四隅に初期配置しているためである。
【０００８】
この段階で、アルミニウム製のヒンジ式開閉枠全体が全く破壊不能となるように、サッシ輪郭部材（１）からなる可動枠（ガラス窓や雨戸）が、基礎枠輪郭部材（３）からなる固定枠組にロックされ統合される。
【０００９】
その後、クレモンを元の位置へと回転させると、上記機構が逆向きに作動して、枠組の四辺全てにおいてロック輪郭部材（５）が溝（２）内の元の位置へ戻されるため、基礎枠輪郭部材（３）からなる固定枠組から、サッシ輪郭部材（１）からなる可動枠組が解除される。アルミニウム製のヒンジ式開閉枠／ドア／窓の二つ（可動及び固定）の枠同士におけるこのような非常に強固で確実堅牢な統合こそが、本発明の主要原理である。
【００１０】
上述したメインの付属品及び材料は、どのような所望の形態、寸法、形状で使用してもよく、添付図面に示すように基本原理及び実施方法に従って協働する。
【００１１】
本発明の基本原理を変えることなく、本発明の検討及び設計の成果である上述の利点をもって、付属品の形態は構成に係る要求に応じて変更してもよい。
【図１】
2015520311.tif 000003
【図２】
2015520311.tif 000004
【図３】
2015520311.tif 000005
【図４】
2015520311.tif 000006
【図５】
2015520311.tif 000007
【図６】
2015520311.tif 000008
【図７】
2015520311.tif 000009
【図８】
2015520311.tif 000010
【図９】
2015520311.tif 000011
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
ドア及び窓を開閉するためのヒンジ式枠の破壊防止装置であって、基礎輪郭部材（３）からなる固定枠とサッシ輪郭部材（１）からなる可動枠とを備え、該サッシ輪郭部材（１）からなる可動枠は、前記基礎輪郭部材（３）からなる固定枠にヒンジ式に取付けられ、クレモンが設けられ、該クレモンは、前記ヒンジ止めされた枠をロック状態と解除状態とに選択的に設定する範囲で回転するように構成され、前記破壊防止装置は、
前記サッシ輪郭部材（１）は、その可動枠の四辺の各々においてロック輪郭部材（５）を受入れるように構成された溝（２）を有し、
前記基礎輪郭部材（３）は、その固定枠の四辺の各々において、前記ヒンジ止めされた枠をロック状態とした場合に、前記ロック輪郭部材（５）を受入れるように構成された溝（４）を有し、
前記ロック輪郭部材（５）は、前記サッシ輪郭部材（１）の可動枠の四辺の各々に沿った前記溝（２）内に挿入される断面Π状の部材であり、前記サッシ輪郭部材（１）の溝（２）内に完全に挿入された状態から、該溝（２）の外へ伸長した状態へ、若しくはその逆に、移動されるための移動手段を備え、該移動手段は、サッシ輪郭部材（１）の溝（２）内でスライドする構成の側面突出部（８）を備え、前記移動手段は、前記ヒンジ止めされた枠をロック状態及び解除状態に設定するクレモンの対応する回動により、前記ロック輪郭部材（５）をロック状態へ押出し、若しくは解除状態へと引き込むように構成され、
貫通孔（２１）を有する付属品（２０）は、サッシ輪郭部材（１）の可動枠の四隅の各々に載置され、各付属品（２０）は、前記ロック輪郭部材（５）の横方向移動を制限する構成であり、
前記クレモンは、クレモンの回転を直線運動に変換するメインの運動伝達用付属品（９）に対して、ピン（１７）によって接続され、該メインの運動伝達用付属品（９）は、サッシ輪郭部材（１）の溝（２）内でスライドする構成の側面突出部（８）を備え、駆動ベルト（１２）の一端は、前記メインの運動伝達用付属品（９）の第一端において、穴（１４）内に固定され、前記駆動ベルト（１２）は、サッシ輪郭部材（１）の可動枠の周縁に沿って駆動され、サッシ輪郭部材（１）の可動枠の四隅の各々において、前記各付属品（２０）の貫通孔（２１）内を自由に通過し、前記ロック輪郭部材（５）の前記移動手段に固定され、前記駆動ベルト（１２）の他端は、前記メインの運動伝達用付属品（９）の第二端において、穴（１５）内に固定され、
前記ヒンジ止めされた枠は、前記ロック輪郭部材（５）がサッシ輪郭部材（１）の溝（２）から外方に伸びて、前記基礎輪郭部材（３）の溝（４）内に進入すると、ロック状態に設定され、それによりサッシ輪郭部材（１）は前記ヒンジ止めされた枠の周縁に沿って基礎輪郭部材（３）内に統合されることを特徴とする、ドア及び窓を開閉するためのヒンジ式枠の破壊防止装置。
【請求項２】
前記ロック輪郭部材（５）の移動手段が、サッシ輪郭部材（１）の溝（２）内での移動方向に傾斜している付属品（７）であり、該付属品（７）は、前記駆動ベルト（１２）が通過する貫通孔（１９）を有し、前記付属品（７）は、その孔（１８）を通るネジによって前記駆動ベルト（１２）に固定され、前記断面Π状の部材には、材料を除去して傾斜切欠部（６）が設けられ、該傾斜切欠部（６）は、前記付属品（７）の傾斜と同様の傾斜を有し、前記付属品（２０）がロック輪郭部材（５）の横方向移動を制限するため、前記駆動ベルト（１２）の移動によって開始されるサッシ輪郭部材（１）の溝（２）内における前記付属品（７）の直線運動が、前記ロック輪郭部材（５）を、サッシ輪郭部材（１）の溝（２）から外方に、基礎輪郭部材（３）の溝（４）内へと、ロック状態に押出す、若しくは基礎輪郭部材（３）の溝（４）から、サッシ輪郭部材（１）の溝（２）内へと、解除状態に引込むことを特徴とする、請求項１に記載のドア及び窓を開閉するためのヒンジ式の破壊防止装置。
【手続補正２】
【補正対象書類名】図面
【補正対象項目名】図３
【補正方法】変更
【補正の内容】
【図３】
2015520311.tif 000012
【手続補正３】
【補正対象書類名】図面
【補正対象項目名】図６
【補正方法】変更
【補正の内容】
【図６】
2015520311.tif 000013
【手続補正４】
【補正対象書類名】図面
【補正対象項目名】図７
【補正方法】変更
【補正の内容】
【図７】
2015520311.tif 000014
【手続補正５】
【補正対象書類名】図面
【補正対象項目名】図８
【補正方法】変更
【補正の内容】
【図８】
2015520311.tif 000015
【手続補正６】
【補正対象書類名】図面
【補正対象項目名】図９
【補正方法】変更
【補正の内容】
【図９】
2015520311.tif 000016
【国際調査報告】
2015520311.tif 000017
2015520311.tif 000018